(57)【要約】      （修正有）【課題】膝の屈伸動作をスムーズに行うことができ、しゃがんで膝を深く曲げたときにも違和感を感じることがなく快適であり、構成もシンプルで製造が容易なズボンを提供する。【解決手段】ズボンは、前身頃１０と後身頃とを備え、側縁で縫い合わせて一体化する。前身頃１０は、膝よりも上に位置する上部前身頃１１と、膝よりも下に位置する下部前身頃１３と、膝に対応する位置にあって、上辺部１２ａが上部前身頃１１の下端１１ａに接続し、下辺部１２ｂが下部前身頃１３の上端１３ａに接続し、左右各側辺部１２ｃ、１２ｄが後身頃の側縁にそれぞれ接続する、略四角形状の中間部前身頃１２とを備える。中間部前身頃１２は、縫製前の平面状パターンにおいて、４つの各辺部が、中間部前身頃１２の中央部を基準として、それぞれ外側へ弓なりに膨らむ湾曲線からなる。中間部前身頃１２の面積が大きくなり、余剰部分となるだぶつき（たるみ）が形成される。【選択図】図２
0003231256.tif 000002
【実用新案登録請求の範囲】
【請求項１】
前身頃と後身頃とを縫い合わせて一体化したズボンにおいて、
前記前身頃は、膝よりも上に位置する上部前身頃と、膝よりも下に位置する下部前身頃と、膝に対応する位置にあって、上辺部が前記上部前身頃の下端に接続し、下辺部が前記下部前身頃の上端に接続し、左右各側辺部が前記後身頃の側縁にそれぞれ接続する、略四角形状の中間部前身頃とを備え、
前記中間部前身頃は、縫製前の平面状パターンにおいて、前記上辺部が上側へ弓なりに膨らむ湾曲線からなり、前記下辺部が下側へ弓なりに膨らむ湾曲線からなる、ズボン。
【請求項２】
前身頃と後身頃とを縫い合わせて一体化したズボンにおいて、
前記前身頃は、膝よりも上に位置する上部前身頃と、膝よりも下に位置する下部前身頃と、膝に対応する位置にあって、上辺部が前記上部前身頃の下端に接続し、下辺部が前記下部前身頃の上端に接続し、左右各側辺部が前記後身頃の側縁にそれぞれ接続する、略四角形状の中間部前身頃とを備え、
前記中間部前身頃は、縫製前の平面状パターンにおいて、４つの各辺部が、前記中間部前身頃の中央部を基準として、それぞれ外側へ弓なりに膨らむ湾曲線からなる、ズボン。
【請求項３】
前記上部前身頃の下端は、縫製前の平面状パターンにおいて、下側へ膨らむ湾曲線からなり、
前記下部前身頃の上端は、縫製前の平面状パターンにおいて、上側へ膨らむ湾曲線からなる、請求項１又は２に記載のズボン。
【請求項４】
前記上部前身頃の下端は、縫製前の平面状パターンにおいて、前記中間部前身頃の上辺部の曲率よりも小なる曲率で下側へ緩やかに膨らむ湾曲線からなり、
前記下部前身頃の上端は、縫製前の平面状パターンにおいて、前記中間部前身頃の下辺部の曲率よりも小なる曲率で上側へ緩やかに膨らむ湾曲線からなる、請求項３に記載のズボン。
【考案の詳細な説明】
【技術分野】
【０００１】
本考案は、作業服として使用するのに好適なズボンに関する。
【背景技術】
【０００２】
作業用の衣服として使用される作業ズボンは、作業に適した安価で丈夫な素材が用いられることから、一般的にその伸縮性は高くない。
このため、膝の屈伸動作、例えば、しゃがんで膝を曲げるときの動作がスムーズに行われず、つっぱり感、窮屈感を伴うという問題点があった。
【０００３】
上記のような膝の屈伸動作を改善する技術として、特許文献１には、「前見頃２と後見頃３を縫着したズボン１において、前記前見頃２の膝対応位置の両側縁にギャザー若しくはダーツ４を設けて、前記前見頃２の膝対応位置に膨らみ５を形成したことを特徴とするズボン。」が開示されている（請求項１）。
また、特許文献２には、「非伸縮性布の前身頃布と後見頃布を縫着して形成したズボン本体に於いて、該前身頃布の膝部に一定大きさ寸法の方形状をなした膝あて布を当設し、該膝あて布の両側縁部から凡そ直交する内方へ向かって一定長のダーツを複数本設けて、膝部周辺に緩やかな膨らみを形成するようになしたことを特徴とする作業ズボン。」が開示されている（請求項１）。
しかし、ギャザーは布を縫い縮めて寄せるひだが形成されるものであり、またダーツは布の一部を細く三角形に縫いつまんで布にひだをとってつまみ縫いするものであるところ、上記従来のズボンは、しゃがんで膝を深く曲げたとき、ズボンの内側にある布のひだ部分が体に当たり、痛みを感じる等、違和感を伴うという問題がある。
【先行技術文献】
【特許文献】
【０００４】
【特許文献１】登録実用新案第３０１６０２５号公報
【特許文献２】登録実用新案第３０７５１８９号公報
【考案の概要】
【考案が解決しようとする課題】
【０００５】
本考案は、前記背景技術における問題を考慮してなされたもので、膝の屈伸動作をスムーズに行うことができ、しゃがんで膝を深く曲げたときにも違和感を感じることがなく快適であり、構成もシンプルで製造が容易なズボンを提供することを課題とする。
【課題を解決するための手段】
【０００６】
（１）前身頃と後身頃とを縫い合わせて一体化したズボンにおいて、
前記前身頃は、膝よりも上に位置する上部前身頃と、膝よりも下に位置する下部前身頃と、膝に対応する位置にあって、上辺部が前記上部前身頃の下端に接続し、下辺部が前記下部前身頃の上端に接続し、左右各側辺部が前記後身頃の側縁にそれぞれ接続する、略四角形状の中間部前身頃とを備え、
前記中間部前身頃は、縫製前の平面状パターンにおいて、前記上辺部が上側へ弓なりに膨らむ湾曲線からなり、前記下辺部が下側へ弓なりに膨らむ湾曲線からなる、ズボンである。
（２）前身頃と後身頃とを縫い合わせて一体化したズボンにおいて、
前記前身頃は、膝よりも上に位置する上部前身頃と、膝よりも下に位置する下部前身頃と、膝に対応する位置にあって、上辺部が前記上部前身頃の下端に接続し、下辺部が前記下部前身頃の上端に接続し、左右各側辺部が前記後身頃の側縁にそれぞれ接続する、略四角形状の中間部前身頃とを備え、
前記中間部前身頃は、縫製前の平面状パターンにおいて、４つの各辺部が、前記中間部前身頃の中央部を基準として、それぞれ外側へ弓なりに膨らむ湾曲線からなる、ズボンである。
（３）前記上部前身頃の下端は、縫製前の平面状パターンにおいて、下側へ膨らむ湾曲線からなり、
前記下部前身頃の上端は、縫製前の平面状パターンにおいて、上側へ膨らむ湾曲線からなるものである。
（４）前記上部前身頃の下端は、縫製前の平面状パターンにおいて、前記中間部前身頃の上辺部の曲率よりも小なる曲率で下側へ緩やかに膨らむ湾曲線からなり、
前記下部前身頃の上端は、縫製前の平面状パターンにおいて、前記中間部前身頃の下辺部の曲率よりも小なる曲率で上側へ緩やかに膨らむ湾曲線からなるものである。
【考案の効果】
【０００７】
（１）膝に対応する位置にあって、上辺部が上部前身頃の下端に接続し、下辺部が下部前身頃の上端に接続し、左右各側辺部が後身頃の側縁にそれぞれ接続する、略四角形状の中間部前身頃とを備え、中間部前身頃は、縫製前の平面状パターンにおいて、上辺部が上側へ弓なりに膨らむ湾曲線からなり、下辺部が下側へ弓なりに膨らむ湾曲線からなるため、各辺部に沿って縫い合わせられることにより、ズボンの膝部分の上下方向に膨らみ（たるみ）が形成され、膝の屈伸動作をスムーズに行うことができ、しゃがんで膝を深く曲げたときにも、ダーツなどのズボンの内側にある布のひだ部分が体に当たることがないので、違和感を感じることがなく、つっぱり感が緩和され、快適であり、構成もシンプルで製造が容易である。
（２）膝に対応する位置にあって、上辺部が上部前身頃の下端に接続し、下辺部が下部前身頃の上端に接続し、左右各側辺部が後身頃の側縁にそれぞれ接続する、略四角形状の中間部前身頃とを備え、中間部前身頃は、縫製前の平面状パターンにおいて、４つの各辺部が、前観部前身頃の中央部を基準として、それぞれ外側へ弓なりに膨らむ湾曲線からなるため、各辺部に沿って縫い合わせられることにより、ズボンの膝部分の上下方向及び左右方向に膨らみ（たるみ）が形成され、膝の屈伸動作をスムーズに行うことができ、しゃがんで膝を深く曲げたときにも、ダーツなどのズボンの内側にある布のひだ部分が体に当たることがないので、違和感を感じることがなく、つっぱり感が緩和され、快適であり、構成もシンプルで製造が容易である。
（３）上部前身頃の下端は、縫製前の平面状パターンにおいて、下側へ膨らむ湾曲線からなり、下部前身頃の上端は、縫製前の平面状パターンにおいて、上側へ膨らむ湾曲線からなる構成により、ズボンの膝部分に自然な膨らみを確実に形成することができる。
（４）上部前身頃の下端は、縫製前の平面状パターンにおいて、中間部前身頃の上辺部の曲率よりも小なる曲率で下側へ緩やかに膨らむ湾曲線からなり、下部前身頃の上端は、縫製前の平面状パターンにおいて、中間部前身頃の下辺部の曲率よりも小なる曲率で上側へ緩やかに膨らむ湾曲線からなる構成により、ズボンの膝部分に膨らみを確実に形成することができるとともに、見た目もすっきりした印象が得られる。
【図面の簡単な説明】
【０００８】
【図１】ズボン１の、（ａ）は正面図、（ｂ）は側面図である。
【図２】（ａ）は前身頃１０の、縫製前の平面状パターンを示す正面図、（ｂ）は中間部前身頃１２の、縫製前の平面状パターンを示す正面図である。
【図３】従来の通常のズボンの前身頃３の、縫製前の平面状パターンを示す正面図である。
【図４】前身頃１０の、縫製前の平面状パターンを示す正面図である。
【考案を実施するための形態】
【０００９】
前身頃と後身頃とを縫い合わせて一体化したズボンにおいて、前記前身頃は、膝よりも上に位置する上部前身頃と、膝よりも下に位置する下部前身頃と、膝に対応する位置にあって、上辺部が前記上部前身頃の下端に接続し、下辺部が前記下部前身頃の上端に接続し、左右各側辺部が前記後身頃の側縁にそれぞれ接続する、略四角形状の中間部前身頃とを備え、前記中間部前身頃は、縫製前の平面状パターンにおいて、４つの各辺部がそれぞれ外側へ弓なりに膨らむ湾曲線からなる構成とした。
【実施例】
【００１０】
（全体構成）
図１に示すように、ズボン１は、通常のズボンと同様に、前身頃１０と後身頃２０とを備え、側縁で縫い合わせて一体化してなる。後身頃２０は通常のズボンと特に変わるところはない。ズボン１は、一般的な作業服に用いられる綿又は混紡（綿とポリエステルの混紡等）など、丈夫で破れにくい生地が用いられる。
【００１１】
前身頃１０は、膝よりも上に位置する上部前身頃１１と、膝よりも下に位置して裾に至る下部前身頃１３と、上部前身頃１１と下部前身頃１３との間にある、略四角形状の中間部前身頃１２とを備えている。
中間部前身頃１２は、膝に対応し、膝頭を覆う位置にあって、上辺部１２ａが上部前身頃１１の下端１１ａに接続し、下辺部１２ｂが下部前身頃１３の上端１３ａに接続し、左右各側辺部１２ｃ，１２ｄが後身頃２０の側縁にそれぞれ接続している。
【００１２】
（中間部前身頃）
図２（ａ）は前身頃（左前身頃）１０の縫製前の平面状パターンを示す正面図であり、図２（ｂ）は中間部前身頃（左前身頃）１２の、縫製前の平面状パターンを示す正面図である。中間部前身頃１２近傍の構成は、右前身頃と左前身頃とは同じ（左右対称）であるため、左前身頃のみを示し、右前身頃は図示を省略している。
図２に示すとおり、前身頃１０は、夫々、平面裁断により形成される別体からなる上部前身頃１１と中間部前身頃１２と下部前身頃１３とを備えている。
【００１３】
中間部前身頃１２は、上辺部１２ａが下辺部１２ｂよりもやや大きい台形状の略四角形状をなし、図２に示すとおり、縫製前の平面状パターンにおいて、上辺部１２ａが上側へ弓なりに膨らむ湾曲線からなり、下辺部１２ｂが下側へ弓なりに膨らむ湾曲線からなる。
さらに、左右各側辺部１２ｃ，１２ｄも、中間部前身頃１２の中央部を基準として、それぞれ外側へ弓なりに膨らむ湾曲線からなる。
すなわち、中間部前身頃１２は、縫製前の平面状パターンにおいて、４つの各辺部が、中間部前身頃１２の中央部を基準として、それぞれ外側へ弓なりに膨らむ湾曲線からなっている。
【００１４】
なお、上辺部１２ａ及び下辺部１２ｂの湾曲線をそれぞれ山と見ると、上辺部１２ａの山の高さの方が下辺部１２ｂの山の高さよりも若干高さが高くなっている。また、左右各側辺部１２ｃ，１２ｄの湾曲線は、上辺部１２ａ及び下辺部１２ｂの湾曲線よりもなだらかなカーブを描くように形成されている。
左右各側辺部１２ｃ，１２ｄは、湾曲線を形成せずに構成することも可能であるが、上記のように湾曲線で構成した方が好ましい。
【００１５】
中間部前身頃１２について、図３に示す従来の通常のズボンと対比して説明する。
図３（ａ）は、従来の通常のズボンの前身頃（左前身頃）３の、縫製前の平面状パターンを示す正面図である。従来の通常のズボンでは、図示のとおり、前身頃３は上部から裾部へ一枚の布で形成される。
これに対し、本考案のズボン１では、前記のとおり、また図２に示すとおり、前身頃１０は、上部前身頃１１と、中間部前身頃１２と、下部前身頃１３とに分割された布を縫い合わせて接続することにより、構成される。
【００１６】
中間部前身頃１２の上辺部１２ａの湾曲線の長さは、上部前身頃１１の下端１１ａの長さと一致する。また、中間部前身頃１２の下辺部１２ｂの長さは、下部前身頃１３の上端１３ａの長さと一致するようになっている。また、左右各側辺部１２ｃ，１２ｄの湾曲線の長さは、後身頃２０の各側縁における、上部前身頃１１と下部前身頃１３との離隔長さと一致するようになっている。
【００１７】
図３（ｂ）の破線で囲まれた部分は、従来のズボンにおいて、本考案のズボン１の中間部前身頃１２が対応する部分、換言すると、本考案のズボン１の中間部前身頃１２に置換される部分を示している。上辺が下辺より大のこの台形状部分の縦方向長さをＨ１、縦方向中央部における横長さをＬ１で示す。Ｈ１の長さは、例えば２５〜３０ｃｍ程度である。
一方、図２（ｂ）のとおり、本考案のズボン１における中間部前身頃１２の縦方向最大長さ（中間部前身頃１２の横方向のほぼ中央部となる。）をＨ２、縦方向中央部における横長さをＬ２で示す。
しかして、ズボン１の中間部前身頃１２は、Ｈ２＞Ｈ１となり、Ｌ２＞Ｌ１となるように形成されている。Ｈ２／Ｈ１及びＬ２／Ｌ１は、たるみ具合と外観の両立を図る観点から、好ましくは１．０５〜１．３、より好ましくは１．１〜１．２程度である。
加えて、各湾曲線の湾曲程度（曲率）を調整することによって、膨らみ（たるみ）程度が調整される。
上記のようなＨ２及びＬ２と上記湾曲線の設定により、中間部前身頃１２を設けない場合の領域に対して、中間部前身頃１２の方が面積上、大となり、余剰部分となるだぶつき（たるみ）が形成される。
【００１８】
なお、図４に示すとおり、上部前身頃１１の下端１１ａは、縫製前の平面状パターンにおいて、下側へ膨らむ湾曲線からなり、下部前身頃１３の上端は１３ａは、縫製前の平面状パターンにおいて、上側へ膨らむ湾曲線からなる構成を採用するのが好ましい。
この場合、上部前身頃１１の下端１１ａは、縫製前の平面状パターンにおいて、中間部前身頃１２の上辺部１２ａの曲率よりも小なる曲率で下側へ緩やかに膨らむ湾曲線からなり、下部前身頃１３の上端１３ａは、縫製前の平面状パターンにおいて、中間部前身頃１２の下辺部１２ｂの曲率よりも小なる曲率で上側へ緩やかに膨らむ湾曲線からなる構成を採用することができる。つまり、上部前身頃１１の下端１１ａの湾曲線は、中間部前身頃１２の上辺部１２ａの湾曲線よりもなだらかなカーブを描くものとし、下部前身頃１３の上端１３ａの湾曲線は、中間部前身頃１２の下辺部１２ｂの湾曲線よりもなだらかなカーブを描くものとすることができる。
【００１９】
以上、実施例を挙げて実施の形態を説明したが、本考案は上記した実施例に限定されるものではなく、本考案の要旨の範囲で適宜、付加、変形等なし得るものである。
本考案において、中間部前身頃は、上部前身頃及び下部前身頃よりも、丈夫な布あるいは伸縮性の高い布等で形成してもよい。
ズボン単体としての使用ほか、つなぎ服の下衣に適用することもできる。
各種作業ズボン、例えば、自動車整備工場等における作業ズボン等として使用するのに有益である。
【符号の説明】
【００２０】
１  ズボン
１０  前身頃
１１  上部前身頃
１１ａ  上部前身頃の下端
１２  中間部前身頃
１２ａ  中間部前身頃の上辺部
１２ｂ  中間部前身頃の下辺部
１２ｃ，１２ｄ  左右各側辺部
１３  下部前身頃
１３ａ  下部前身頃の上端
２０  後身頃
【図１】
0003231256.tif 000003
【図２】
0003231256.tif 000004
【図３】
0003231256.tif 000005
【図４】
0003231256.tif 000006